(57)【要約】【課題】パイプ接続の現場の状況にかかわらず、パイプ同士が完全接続状態にあるか不完全接続状態にあるかを確認し得る接続確認チェッカー付き管継手を提供すること。【解決手段】雌型コネクタ１と、前記雌型コネクタ１に挿入された雄型コネクタ２を抜け止め状態に把持するリテーナ３と、前記雄型コネクタ２の接続状態を確認するためのチェッカー４とから構成されており、前記雌型コネクタ１に対して雄型コネクタ２を完全接続位置まで挿入すると、リテーナ３が雄型コネクタ２を把持する位置まで移動可能となり、リテーナ３を前記雄型コネクタ２の把持位置に移動させた状態においてのみ、雌型コネクタ１からチェッカー４を引き外せるようになっている。【選択図】  図１
2008190704.tif 000002
【特許請求の範囲】
【請求項１】
雌型コネクタ１と、前記雌型コネクタ１に挿入された雄型コネクタ２を抜け止め状態に把持するリテーナ３と、前記雄型コネクタ２の接続状態を確認するためのチェッカー４とから構成されており、前記雌型コネクタ１に対して雄型コネクタ２を完全接続位置まで挿入すると、リテーナ３が雄型コネクタ２を把持する位置まで移動可能となり、リテーナ３を前記雄型コネクタ２の把持位置に移動させた状態においてのみ、雌型コネクタ１からチェッカー４を引き外せるようになっていることを特徴とする接続確認チェッカー付き管継手。
【発明の詳細な説明】
【技術分野】
【０００１】
この発明は、自動車の燃料やオイル等の流体移送配管においてパイプ同士を接続する際に用いられる管継手に関し、特にパイプ同士が確実接続されているか否かを一目で容易に視認することができる接続確認チェッカー付き管継手に関するものである。
【背景技術】
【０００２】
従来より、パイプ同士が完全接続状態にあるか不完全接続状態にあるかを一目で視認できる接続確認チェッカー付き管継手が存在しており（例えば、特許文献１。）、この管継手を使用した場合、流体漏洩等の危険な状態が簡単に回避できる。
【０００３】
しかしながら、上記接続確認チェッカー付き管継手では、パイプ同士が完全接続状態にあるか不完全接続状態にあるかを確認する場合には、管継手に顔を近づけてチェッカーを注視しなければならず、例えば、機械や部品などが混み合っている場合や、パイプの接続箇所が狭い場所では、前記確認が非常に困難であると言う問題があった。
【特許文献１】特開２００５−１５５６６５号公報
【発明の開示】
【発明が解決しようとする課題】
【０００４】
そこで、この発明は、パイプ接続の現場の状況にかかわらず、パイプ同士が完全接続状態にあるか不完全接続状態にあるかを確認し得る接続確認チェッカー付き管継手を提供することを課題とする。
【課題を解決するための手段】
【０００５】
この発明の接続確認チェッカー付き管継手は、雌型コネクタ１と、前記雌型コネクタ１に挿入された雄型コネクタ２を抜け止め状態に把持するリテーナ３と、前記雄型コネクタ２の接続状態を確認するためのチェッカー４とから構成されており、前記雌型コネクタ１に対して雄型コネクタ２を完全接続位置まで挿入すると、リテーナ３が雄型コネクタ２を把持する位置まで移動可能となり、リテーナ３を前記雄型コネクタ２の把持位置に移動させた状態においてのみ、雌型コネクタ１からチェッカー４を引き外せるようになっている。
【発明の効果】
【０００６】
この発明は上述のような構成であり、次の効果を有する。
【０００７】
この接続確認チェッカー付き管継手によると、パイプ接続の現場の状況にかかわらず、パイプ同士が完全接続状態にあるか不完全接続状態にあるかを確認し得る。
【発明を実施するための最良の形態】
【０００８】
以下、この発明の実施の形態を、図面を参照して説明する。
（実施形態１）
図１はこの発明の接続確認チェッカー付き管継手の各構成部材を示す分解斜視図、図２は前記接続確認チェッカー付き管継手における雌型コネクタ１に雄型コネクタ２を接続する直前の斜視図、図３は前記接続確認チェッカー付き管継手における雌型コネクタ１に雄型コネクタ２を接続した状態を示す斜視図、図４（ａ）（ｂ）から図７（ａ）（ｂ）は雌コネクタ１に雄型コネクタ２を接続する過程を示す説明図である。
【０００９】
（接続確認チェッカー付き管継手の基本的構成について）
この接続確認チェッカー付き管継手は、図１〜図３に示すように、雌型コネクタ１と、前記雌型コネクタ１に挿入された雄型コネクタ２を抜け止め状態に把持するリテーナ３と、前記雄型コネクタ２の接続状態を確認するためのチェッカー４とから構成されており、前記雌型コネクタ１に対して雄型コネクタ２を完全接続位置まで挿入すると、リテーナ３が雄型コネクタ２を把持する位置まで移動可能となり、リテーナ３を前記雄型コネクタ２の把持位置に移動させた状態においてのみ、雌型コネクタ１からチェッカー４を引き外せるようになっている。
【００１０】
以下に、この接続確認チェッカー付き管継手を構成する、雌型コネクタ１、雄型コネクタ２、リテーナ３、チェッカー４の具体的構成等について詳述する。
【００１１】
（雌型コネクタ１について）
雌型コネクタ１は、合成樹脂により形成された筒状のものであり、図１〜図３に示すように、雄型コネクタ２、リテーナ３及びチェッカー４が係わり合うハウジング部１０と、雄型コネクタ２を流体密状態に接続するための圧入部１５と、前記圧入部１５に延設されたホース接続部１６から構成されている。
【００１２】
ハウジング部１０は、図１〜図３に示すように、前面に形成された挿入口部１１と、軸回りにおいて１８０°間隔で形成された一対の方形状の窓部１２，１３を有しており、前記窓部１２の軸方向に平行な辺近傍部分に凹み部１４，１４ を設けてある。
【００１３】
圧入部１５は、図１〜図３に示すように、上記ハウジング部１０よりも小径に構成されており、その内周部にはこれに挿入される雄型コネクタ２との流体密性を確保するためのシールリング（図示せず）を設けてある。
【００１４】
ホース接続部１６は、図１〜図３に示すように、外周面が竹の子形状に構成されており、その外周面に設けられた溝１７にシールリング１８を配設して成る。なお、前記シールリング１８は、ホース接続部１６に外挿されるホース（図示せず）との間の流体密性を確保する働きをする。
【００１５】
他方、ハウジング部１０の内壁面には、図１に示すように、溝部１７，１７が設けられている。
【００１６】
（雄コネクタ２について）
雄型コネクタ２は、金属製或いは樹脂製の部材から成り、図１〜図３に示すように、先端部２０から所定距離だけ離れた位置に拡大径部Ｆを有する筒状のものとしてある。なお、雄型コネクタ２の他端部には、図示しない相手方の樹脂管やホースと接続されるように螺子部２１が設けられている。
【００１７】
ここで、上記雌型コネクタ１との接続においては、雄型コネクタ２を先端部２０から雄型コネクタ１の挿入口部１１に挿入し、続いて上記拡大径部Ｆがハウジング部１０の内側構成壁１９に当接するまで押し込む。この押し込み状態においては、先端部２０は圧入部１５の内周部に設けられたシールリングを通過しており、上記流体密性を確保している。
【００１８】
（リテーナ３について）
リテーナ３は、図１〜図３に示すように、断面が逆U字状に樹脂で一体形成されて成るものであり、窓部１２から窓部１３に向けて挿入される。
【００１９】
このリテーナ３はより具体的には、図１や図２に示すように、円弧状の天壁部３０と、前記天壁部３０の両端部から垂設される外側の長脚部３１,３１と、前記長脚部３１,３１相互間に垂設される短脚部３２,３２とを有している。
【００２０】
上記長脚部３１,３１の下端部には、図１に示すように係止爪３３を設けると共に、前記係止爪３３から下方に伸びる延長片３４を設けてある。
【００２１】
上記短脚部３２,３２は、図１〜図３に示すように、天壁部３０との関係で雄型コネクタ２の径（拡大径部Ｆ以外の部分）よりも僅かに大きな径の円弧を形成しており、その円弧の角度を９０°より少し大きい角度としている。
【００２２】
また、天壁部３０の両端部にはそれぞれ、図１や図２に示すように、上記凹み部１４に嵌まり込む突起３５を設けてある。
【００２３】
（チェッカー４について）
チェッカー４は、全体が樹脂により構成されており、図１〜図３に示すように、上端開放の横コ字形状の本体部４０と、前記本体部４０の下部に取り付けられている環状のプル部４１と、前記本体部４０の横棒４０ａの一方面に設けられている位置決め片４２と、前記本体部４０の横棒４０ａの他方面に設けられているＭ字状の弾性変形部４３と、前記Ｍ字状の弾性変形部４３の中央凹み部４３ａに取り付けられた力作用部４４とから構成されている。
【００２４】
本体部４０は、図１〜図３に示すように、上述した如く横コ字形状に形成されており、左右の一対の縦棒４０ｂ，４０ｂと、前記縦棒部４０ｂ，４０ｂ相互を繋ぐ横棒４０ａとから構成されている。ここで、この本体部４０では、上記凹み部１４，１４と係止状態となる係止爪４０ｃ，４０ｃを縦棒４０ｂ，４０ｂの先端部に設けてある。また、この本体部４０では、係止爪４０ｃ，４０ｃ相互に背向する方向に力が加わると、当該係止爪４０ｃ，４０ｃ相互間距離が広がるようになっている。
【００２５】
プル部４１は、図１〜図３に示すように、環状に形成されているが、その大きさは一本の手指が挿入できる大きさとしてある。
【００２６】
位置決め片４２は、図１〜図３に示すように、Ｌ字状に形成して成るものとしてある。
【００２７】
弾性変形部４３は、図１〜図３に示すように、Ｍ字状の中央凹み部４３ａに設けられた力作用部４４が押し込まれると、Ｍ字状の左右の頂部４３ｂ，４３ｂ相互間が幅狭となるようになっている。
【００２８】
力作用部４４は、図１や図４に示すように、挿入口部１１から圧入部１５に向って上方に傾斜する形態を採っている。
【００２９】
なお、このチェッカー４は、係止爪４０ｃが凹み部１４に嵌まった状態において、位置決め片４２が窓部１３の構成壁（挿入口部１１側）と、力作用部４４が窓部１３の構成壁（圧入部１５側）と、それぞれ当接し、これにより軸線に対して直角方向に配置されるようになっている。
【００３０】
（接続確認チェッカー付き管継手の接続操作方法について）
この接続確認チェッカー付き管継手では、以下の（１）〜（４）の過程を経てリテーナ３により雌型コネクタ１と雄型コネクタ２とを完全接続状態に接続できる。
（１）雌型コネクタ１に対して雄型コネクタ２が接続前の状態について
この状態は、図２や図４（ａ）（ｂ）に示す如く雌型コネクタ１に、リテーナ３及びチェッカー４を組み付けただけの状態であり、リテーナ３は弾性変形部４３の頂部４３ｂが邪魔をして押し込み不能であると共に、係止爪３３と溝部１７の構成壁との係止により引き抜きが不能である。
【００３１】
また、チェッカー４は、係止爪４０ｃが凹み部１４に嵌まった状態において、位置決め片４２が窓部１３の構成壁（挿入口部１１側）と、力作用部４４が窓部１３の構成壁（圧入部１５側）と、それぞれ当接し、これにより軸線に対して直角方向に配置されている。
（２）雌型コネクタ１に対して雄型コネクタ２を挿入した状態であるが、未だ雄型コネクタ２の拡大径部Ｆが力作用部４４に至っていない状態について
この状態では、図５（ａ）（ｂ）に示す如く、雌型コネクタ１、リテーナ３及びチェッカー４の関係は何ら変化していない。
（３）雌型コネクタ１に対して雄型コネクタ２を更に挿入し、雄型コネクタ２の拡大径部Ｆが力作用部４４の最上位置に達した状態について
この状態では、図６（ａ）（ｂ）に示す如く、力作用部４４が下方に押しやられ、これに伴って弾性変形部４３の左右頂部４３ｂ，４３ｂ相互が接近すべく移動し、ハウジング部１０の構成壁と頂部４３ｂとの間に間隙Ｇが形成される。
（４）雌型コネクタ１に対してリテーナ３を押し込んだ状態について
この状態では、図７（ａ）（ｂ）に示すように、係止爪３３及び延長片３４は間隙Ｇから突出し、係止爪３３とハウジング部１０との係止によりリテーナ３は元の状態に戻らず、雌型コネクタ１と雄型コネクタ２との完全接続状態が維持される。
【００３２】
また、この状態では、図７（ａ）（ｂ）に示すように、突起３５が凹み部１４に侵入することにより、係止爪４０ｃが追い出され又は追い出され気味となり、その結果、プル部４１を例えば摘んで下方に引っ張れば、チェッカー４を雌型コネクタ１から引き外せることになる。
【００３３】
（この接続確認チェッカー付き管継手の優れた効果について）
上記の如く、この接続確認チェッカー付き管継手では、雌型コネクタ１からチェッカー４が外されているときには、雌型コネクタ１と雄型コネクタ２との完全接続状態が維持されていることが判る。
【００３４】
したがって、この接続確認チェッカー付き管継手によると、機械や部品などが混み合っている場合や、パイプの接続箇所が狭い場所でも、要するにパイプ接続の現場の状況にかかわらず、パイプ同士が完全接続状態にあるか不完全接続状態にあるかを確認できることが明らかである。
【００３５】
また、この接続確認チェッカー付き管継手では、システムに使用されている接続確認チェッカー付き管継手がＮ個であり、保管されているチェッカー４の個数がＮ個であれば、システム全体の管継手における雌型コネクタ１と雄型コネクタ２とは完全接続状態であることが判る。
【図面の簡単な説明】
【００３６】
【図１】この発明の接続確認チェッカー付き管継手の各構成部材を示す分解斜視図。
【図２】前記接続確認チェッカー付き管継手における雌型コネクタに雄型コネクタを接続する直前の斜視図。
【図３】前記接続確認チェッカー付き管継手における雌型コネクタに雄型コネクタを接続した状態を示す斜視図。
【図４】（ａ）（ｂ）は雌コネクタに雄型コネクタを接続する第１過程を示す説明図。
【図５】（ａ）（ｂ）は雌コネクタに雄型コネクタを接続する第２過程を示す説明図。
【図６】（ａ）（ｂ）は雌コネクタに雄型コネクタを接続する第３過程を示す説明図。
【図７】（ａ）（ｂ）は雌コネクタに雄型コネクタを接続する第４過程を示す説明図。
【符号の説明】
【００３７】
１      雌型コネクタ
１０    ハウジング部
１１    挿入口部
１２    窓部
１３    窓部
１４    凹み部
１５    圧入部
１６    ホース接続部
１７    溝部
Ｆ      拡大径部
２      雄型コネクタ
２０    先端部
２１    螺子部
３      リテーナ
３０    天壁部
３１    長脚部
３２    短脚部
３３    係止爪
３４    延長片
３５    突起
４      チェッカー
４０    本体部
４０ａ  横棒
４０ｂ  縦棒
４１    プル部
４２    位置決め片
４３    弾性変形部
４３ａ  中央凹み部
４３ｂ  頂部
４４    力作用部
【図１】
2008190704.tif 000003
【図２】
2008190704.tif 000004
【図３】
2008190704.tif 000005
【図４】
2008190704.tif 000006
【図５】
2008190704.tif 000007
【図６】
2008190704.tif 000008
【図７】
2008190704.tif 000009